(57)【要約】  【課題】  差込みタイプのバックルであって、バックル本体と差込体との間にがたつきをなくし、衝撃音または振動音の発生を阻止できるバックルを提供する。  【解決手段】  扁平なハウジング２０から形成したバックル本体１と、両側に差込脚部３１を設けた差込体２とからなる樹脂製のバックルにおいて、バックル本体１はハウジング２０の上面板２１と下面板２２の内面の中央縦方向に凹状のガイド溝５を設け、差込体２は基杆３０の中央にハウジング２０内に設けたガイド溝５へ嵌挿できるガイド杆６を突設し、ガイド溝５またはガイド杆６あるいはガイド溝５とガイド杆６の双方の一部に相対する対向面を圧接する隆起した摺接部８を設け、ガイド杆６をガイド溝５へ差込んだとき、バックルががたつくのを阻止する。【選択図】  図１
2005312503.tif 000002
【特許請求の範囲】
【請求項１】
扁平なハウジング２０から形成したバックル本体１と両側に差込脚部３１を設けた差込体２とからなる樹脂製のバックルにおいて、バックル本体１はハウジング２０の内面の中央縦方向に凹状のガイド溝５を設け、差込体２は基杆３０の中央にガイド溝５へ嵌挿可能なガイド杆６を突設し、ガイド溝５またはガイド杆６あるいは双方の一部に、対向面を圧接する摺接部８を配設してなることを特徴とするバックル。
【請求項２】
摺接部８は一方が平坦面１０で他方が対向面へ膨出する隆起部１１から形成してなる請求項１記載のバックル。
【請求項３】
摺接部８は一方が窪んだ凹陥部１２、他方が対向面へ膨出する隆起部１１から形成してなる請求項１記載のバックル。
【請求項４】
ガイド杆６の基部１６およびガイド溝５の末端部側１５における対向面に摺接部８を配設してなる請求項１記載のバックル
【請求項５】
ガイド杆６の基部１６および先端部１７と対面するガイド溝５の対向面に摺接部８を配設してなる請求項１記載のバックル。
【請求項６】
ガイド溝５の挿入口部１４および末端部側１５とガイド杆６の基部１６に摺接部８を配設してなる請求項１記載のバックル。
【請求項７】
ガイド杆６に配設する摺接部８は上下両面に形成し、ガイド溝５に配設する摺接部８は上下内面に形成してなる請求項１記載のバックル。
【請求項８】
ガイド杆６に配設する摺接部８は片面に形成し、ガイド溝５に配設する摺接部８はガイド杆６の摺接部８と対向する側に形成してなる請求項１記載のバックル。
【発明の詳細な説明】
【技術分野】
【０００１】
この発明は、ハウジング形のバックル本体と差込用の脚部を備えた差込体とによる差込みタイプのバックルであって、一般に被服、バッグ、スポーツ用具などに用いられるベルト緊締用のバックルに関するものである。
【背景技術】
【０００２】
従来のハウジング形のバックル本体と左右両側に差込脚部を備えた差込体とから形成した差込みタイプのバックルにおいて、図１２に示すように、バックル本体のハウジングにおける内面中央の縦方向に一対の壁体を上下板間に架設し、この壁体は開口側が広く奥行きが狭くなる楔形の案内溝を形成し、この案内溝の深部に案内溝内へ突出する楔形の小突部を設け、案内溝の開口側には浅く小形の楔形の小案内溝を凹設する。差込体は基杆の中央に案内溝へ挿入できる案内部材を前方へ向けて突設し、案内部材の先端にバックル本体に突設した小突部に挿入できる楔形の小案内溝を設け、かつ案内部材の基部における表裏にバックル本体の案内溝内に設けた小案内溝と、嵌合できる楔形の小突部を重合状に一体に設け、三個所で狭着できる差込みタイプのバックルが知られている。
【０００３】
また、図１３に示すように、バックル本体のハウジングの内面における中央縦方向に一対のガイド片を内方へ向けて突設して、凹状のガイド溝を対向状に設け、差込体は基杆の中央に断面Ｈ形のガイド杆を前方へ突設し、ガイド杆はガイド溝へ挿入できるように形成した差込みタイプのバックルが知られている。
【特許文献１】特開平８−１３１２１５号公報
【特許文献２】米国特許第５７９４３１６号明細書
【発明の開示】
【発明が解決しようとする課題】
【０００４】
前述の図１２に示した差込みタイプのバックルは、バックル本体のハウジング内に設けた案内溝および小突部、小案内溝は全て楔形状であり、また差込体に配設した案内部材および小案内溝、小突部も全て楔形形状であるため、一定の挿入範囲で挟着してバックルの前後方向での位置規制ができる差込みタイプのバックルであるが、バックルの表裏方向への揺動を規制する機構がないため、バックル本体のハウジングへ差込体の差込脚部および案内部材を差込んで使用したとき、がたつきが生じバッグなどに用いた場合、衝撃音または振動音が発生し使用者に不快感を与える難点がある。
【０００５】
また、図１３に示した差込みタイプのバックルは、バックル本体のハウジング内面に形成したガイド溝に差込体のガイド杆を挿入したとき、ガイド杆の厚さが一定であるため、ガイド溝にガイド杆をスムーズに挿入するためには、ガイド溝とガイド杆との間に余裕をもたせて間隙を設ける必要があり、間隙を設けるとがたつきが生じ、振動音が発生する。さらにガイド杆の厚さを厚く形成すると、バックル本体のハウジングに差込体のガイド杆を挿入すると、摩擦抵抗が大きく差込み操作がスムーズに行えないなど問題点がある。
【０００６】
この発明は、上述の問題点を考慮して発明されたものであり、請求項１記載の発明は、扁平なハウジングから形成したバックル本体と、両側に差込脚部と中央にガイド杆を備えた差込体とから形成される差込みタイプのバックルにおいて、差込体の差込脚部およびガイド杆をバックル本体のハウジングへ差込んだとき、バックル本体と差込体の表裏方向への間隙を無くして一部に圧接する摺接面を設け、バックルの揺動を未然に防いで衝撃音または振動音の発生を阻止し、かつ差込み操作がきわめてスムーズに行え、そのうえ構造が簡単で品質のよい差込みタイプのバックルを提供することが主たる目的である。
【０００７】
請求項２および３記載の発明は、それぞれ請求項１記載の発明の目的に加え、バックル本体のハウジングに差込体のガイド杆を差込んだとき両者が圧接する摺接面は、一方が平坦面で他方が膨出する隆起部、または一方が窪んだ凹陥部で他方が膨出する隆起部から形成してバックル本体と差込体との揺動を防ぎ、衝撃音または振動音の発生を未然に防いだ差込みタイプのバックルを提供することが目的である。
【０００８】
請求項４，５および６記載の発明は、それぞれ請求項１記載の発明の目的に加え、ガイド溝とガイド杆に設置する摺接部をガイド溝とガイド杆の何れの位置に設置するか、その位置を特定して、バックル本体のハウジングと差込体のガイド杆の揺動を防ぎ、バックルから発生する衝撃音または振動音を確実に防ぐことができる差込みタイプのバックルを提供することが目的である。
【０００９】
請求項７および８記載の発明は、それぞれ請求項１記載の発明に加え、ガイド溝およびガイド杆に設置する対向面を圧接する摺接部を両面または片面、すなわちガイド溝の上下両面とガイド杆の上下両面に設置するか、またはガイド溝の一方の対向面とガイド杆の一方の対向面に設置し、バックル本体のハウジングと差込体のガイド杆の揺動を防ぎ、バックルから発生する衝撃音または振動音を確実に防ぐことができる差込みタイプのバックルを提供することが目的である。
【課題を解決するための手段】
【００１０】
前記の目的を達成するため、この発明のうち請求項１記載の発明は、扁平なハウジング２０から形成したバックル本体１と、両側に差込脚部３１を設けた差込体２とからなる樹脂製のバックルにおいて、バックル本体１はハウジング２０の上面板２１および下面板２２の内面における中央縦方向に凹状を呈するガイド溝５を設け、一方差込体２は基杆３０の中央にハウジング２０内に設けたガイド溝５へ嵌挿することができるガイド杆６を前方へ向けて突設し、ハウジング２０内のガイド溝５または差込体２に設けたガイド杆６、あるいはハウジング２０内のガイド溝５および差込体２に設けたガイド杆６の双方の一部に、相対する対向面を圧接することができる摺接部８を配設した差込みタイプのバックルを主な構成とするものである。
【００１１】
請求項２記載の発明は、請求項１記載の発明の構成に加え、相対する対向面を圧接する摺接部８は、一方が平坦面１０から形成し、他方が対向面へ膨出する隆起部１１から形成した差込みタイプのバックルである。
【００１２】
請求項３記載の発明は、請求項１記載の発明の構成に加え、相対する対向面を圧接する摺接部８は、一方が窪んだ凹陥部１２から形成し、他方が対向面へ膨出する隆起部１１から形成した差込みタイプのバックルである。
【００１３】
請求項４記載の発明は、請求項１記載の発明の構成に加え、差込体２に設けたガイド杆６の基部１６およびハウジング２０内に設けたガイド溝５の末端部側１５ここで末端部側１５というのは、ガイド溝５において差込体２のガイド杆６を差込んだとき、ガイド杆６の先端部１７と対応する部位を末端部側１５という。この末端部側１５における対向面にそれぞれ相対する対向面を圧接する摺接部８を配設した差込みタイプのバックルである。
【００１４】
請求項５記載の発明は、請求項１記載の発明の構成に加え、差込体２に設けたガイド杆６の基部１６および先端部１７と対面するハウジング２０内に設けたガイド溝５の対向面にそれぞれ相対する対向面を圧接する摺接部８を配設した差込みタイプのバックルである。
【００１５】
請求項６記載の発明は、請求項１記載の発明の構成に加え、ハウジング２０内に設けたガイド溝５の挿入口部１４および末端部側１５と、差込体２に設けたガイド杆６の基部１６にそれぞれ相対する対向面を圧接する摺接部８を配設した差込みタイプのバックルである。
【００１６】
請求項７記載の発明は、請求項１記載の発明の構成に加え、差込体２に設けたガイド杆６に配設する相対する対向面を圧接する摺接部８は上下すなわち表裏両面に形成し、ハウジング２０内に設けたガイド溝５に配設する相対する対向面を圧接する摺接部８は上下内面に形成した差込みタイプのバックルである。
【００１７】
請求項８記載の発明は、請求項１記載の発明の構成に加え、差込体２に設けたガイド杆６に配設する相対する対向面を圧接する摺接部８は上下すなわち表裏一方の片面に形成し、ハウジング２０内に設けたガイド溝５に配設する相対する対向面を圧接する摺接部８は、差込体２に設けたガイド杆６に形成した摺接部８と対向する側の片面に形成した差込みタイプのバックルである。
【発明の効果】
【００１８】
この出願の発明の効果として、請求項１記載の発明は、扁平なハウジングから形成したバックル本体と両側に差込脚部を設けた差込体とからなる樹脂製のバックルにおいて、バックル本体はハウジングの内面の中央縦方向に凹状のガイド溝を設け、差込体は基杆の中央にガイド溝へ嵌挿可能なガイド杆を突設し、ガイド溝またはガイド杆あるいは双方の一部に、対向面を圧接する摺接部を配設したことによって、下記の効果を奏する。
【００１９】
バックル本体と差込体とを係合させたとき、ハウジング内に設けたガイド溝に差込体のガイド杆を差込んだとき、ガイド溝とガイド杆とがバックルの表裏方向で圧接し、揺動することができないので、従来品のようにバックル本体と差込体との間で揺動して衝撃音または振動音を発生しない、またバックルの左右への揺動は弾発性を備えた差込脚部によって阻止するため、衝撃音または振動音が発生しない。さらにガイド溝とガイド杆との摺接部が圧接する部位は、ガイド杆を差込み操作の最終段階において圧接する機構であるから、ガイド杆の差込み操作がきわめてスムーズに行うことができる効果がある。
【００２０】
請求項２および３記載の発明は、それぞれ請求項１記載の発明の効果に加え、摺接部は一方が平坦面で他方が対向面へ膨出する隆起部から形成するか、一方が窪んだ凹陥部、他方が対向面へ膨出する隆起部から形成したことによって、バックル本体のハウジング内に設けるガイド溝および差込体に設けるガイド杆に設置する摺接部の形態は、きわめて簡単な構造であるが、圧接する動作は的確に行うことができ、衝撃音または振動音の発生を確実に阻止できる効果がある。
【００２１】
請求項４，５および６記載の発明は、それぞれ請求項１記載の発明の効果に加え、ガイド杆の基部およびガイド溝の末端部側における対向面に摺接部を配設するか、またはガイド杆の基部および先端部と対面するガイド溝の対向面に摺接部を配設するか、あるいはガイド溝の挿入口部および末端部側とガイド杆の基部に摺接部を配設することによって、バックル本体のハウジング内に設けるガイド溝および差込体に設けるガイド杆に設置する摺接部の部位をガイド溝およびガイドの一部のみに設置して圧接機能を有効的に発揮させ、衝撃音または振動音の発生を的確に阻止できる効果がある。
【００２２】
請求項７および８記載の発明は、それぞれ請求項１記載の発明の効果に加え、ガイド杆に配設する摺接部は上下両面に形成し、ガイド溝に配設する摺接部は上下内面に形成するか、またはガイド杆に配設する摺接部は片面に形成し、ガイド溝に配設する摺接部はガイド杆の摺接部と対向する側に形成することによって、ガイド杆とガイド溝に配設する摺動部は互いに相対する面に設けるので、圧接機能を有効かつ最大限に発揮できる効果があるなど、この発明が奏する効果は顕著である。
【発明を実施するための最良の形態】
【００２３】
この発明のバックルは、図１に示すようにバックル本体１と、このバックル本体１へ差込むことができる差込体２とから形成した差込みタイプのバックルであり、バックル本体１と差込体２とはともに熱可塑性樹脂を用いて射出成形手段によって成形する。バックル本体１はハウジング２０から形成し、ハウジング２０の一端は差込体２の差込脚部３１、ガイド杆６を差込むことができる差込口２４、他端にはベルト取付部２８を設け、両側には差込脚部３１の操作部３３が現出できる弧状に切欠した開口部２５を設ける。
【００２４】
ハウジング２０の内部は上面板２１の中央縦方向に凹状のガイド溝５を設け、末端部側１５にガイド杆６の先端部１７が接触して圧接することができる斜面からなる摺接部８を設ける。また下面板２２内の中央縦方向に上面板２１のガイド溝５に対応するようにガイド溝５を設けるとともに、上面板２１の摺接部８に対応して末端部側１５に斜面の摺接部８を設け、かつガイド溝５の中央部分にガイド溝５の挿入口部１４に向けて隆起する突条部２６を設けてガイド杆６の凹溝部３５を挿入してガイドする。ハウジング２０内のベルト取付部２８側には差込脚部３１の係合突部３２と係合することができるフック状の係止部２７を上面板２１および下面板２２に突設する。
【００２５】
差込体２は、基杆３０の両側から前方へ差込脚部３１、中央から前方へハウジング２０のガイド溝５へ差込むことができるガイド杆６を突設し、このガイド杆６の上下表面は平坦な平坦面１０を形成する。しかしガイド杆６の基部１６には上下方向へ突出する隆起部１１を形成して摺接部８を設けて、ガイド溝５の挿入口部１４に圧接できるように形成する。またガイド杆６の上面は基部１６から先端部１７に向け、先端が閉鎖された窪んだ凹部３６を設け、下面は基部１６から先端部１７まで、先端が開放されたＵ溝状の凹溝部３５を凹設してガイド溝５に設けた突条部２６に嵌挿できるように形成する。ガイド杆６の根元部分には補強部３７を側方へ向けて張り出し状に形成し、その両側に間隙をおいて基杆３０の両側部分から、途中に分厚い操作部３３を備えた差込脚部３１を前方へ突設し、差込脚部３１の先端における上下両面に係止部２７と係合することができる係合突部３２を設け、差込脚部３１はハウジング２０の差込口２４から差込んだとき外側方向へ弾発して側壁２３に圧接する形態に形成する。
【００２６】
差込みタイプのバックルの操作は、バックル本体１に差込体２の差込脚部３１およびガイド杆６を差込むと、図６，７に示すようにガイド杆６の基部１６の上下表面に形成した隆起部１１からなる摺接部８がハウジング２０の上面板２１および下面板２２に設けたガイド溝５の挿入口部１４に圧接し、かつガイド杆６の先端部１７はガイド溝５に設置した末端部側１５の上下内面の斜面の摺接部８に圧接し、ガイド杆６は上下両面の基部１６と先端部１７とで上下両面のガイド溝５における挿入口部１４と末端部側１５とで強固に保持し、差込体２はバックル本体１内で上下方向すなわち表裏方向にがたつくことがないので、衝撃音または振動音が発生することがない。
【実施例１】
【００２７】
図１〜８に示す実施例の差込みタイプのバックルについて説明すると、図１に示すようにソケットと称するバックル本体１と、このバックル本体１へ差込むことができるプラグと称する差込体２とから形成し、バックル本体１と差込体とはともに熱可塑性樹脂たとえばポリアミド、ポリアセタール、ポリプロピレン、ポリブチレンテレフタレートなどを用いて射出成形手段でバックル本体１と差込体２とを成形する。
【００２８】
バックル本体１は、上面板２１、下面板２２、側壁２３で囲まれたハウジング２０から形成し、ハウジング２０の一端は差込体２に設置した差込脚部３１とガイド杆６を差込むことができる差込口２４を形成し、他端は側壁２３にベルトを取付けるための取付杆２９を架設してベルト取付部２８を形成し、ハウジング２０の両側には差込脚部３１に設けた操作部３３が表面へ現出できるように、弧状に切欠した開口部２５を設ける。ハウジング２０の内部は上面板２１の内面の中央縦方向に凹状を呈するガイド溝５を設け、このガイド溝５の末端部側１５にガイド杆６の先端部１７が接触し圧接することができる斜面を設けて摺接部８を形成する。
【００２９】
ハウジング２０の下面板２２の内面の中央縦方向に上面板２１に設置したガイド溝５に対応するようにガイド溝５を設けるとともに、上面板２１の摺接部８に対応して末端部側１５に斜面を呈する摺接部８を設けて差込体２のガイド杆６と摺接する。また凹状のガイド溝５の中央にはガイド溝５の挿入口部１４に向けて中央部分が上方へ隆起する突条部２６を設け、ガイド杆６に設置した凹溝部３５と嵌合してガイド杆６をガイドする。ハウジング２０の上面板２１と下面板２２のベルト取付部２８側に差込体２の差込脚部３１の先端に形成した係合突部３２と係合することができるフック状の係止部２７を間隙をあけて突設する。
【００３０】
差込体２は、側枠３４に架設した基杆３０の両側から前方へ差込脚部３１を突設し、基杆３０の中央から前方へハウジング２０に設置したガイド溝５へ差込むことができるガイド杆６を突設し、このガイド杆６の上下両面は平坦な平坦面１０に形成する。ただしガイド杆６の基部１６には上下方向へ突出する隆起部１１を設けることによって、摺接部８を形成し、ガイド溝５の挿入口部１４を圧接できるように形成する。ガイド杆６の上面は基部１６から先端部１７に向け、先端が閉鎖された凹陥状の凹部３６を設け、下面は基部１６から先端部１７まで先端が開放され全体がＵ溝状を呈する凹溝部３５を凹設する。この凹溝部３５はハウジング２０のガイド溝５に設置した突条部２６に嵌挿できるように形成してガイドする。
【００３１】
ガイド杆６の根元部分には側方へ張り出す補強部３７を形成し、この補強部３７の両側に間隙をおいて基杆３０の両側部分から前方へ突出する差込脚部３１を突設し、この差込脚部３１は途中に分厚い操作部３３を設けてハウジング２０の開口部２５から現出できるように形成する。差込脚部３１の先端の上下両面にはハウジング２０に設置した係止部２７と係合できる係合突部３２を設ける。差込脚部３１はハウジング２０の差込口２４から差込んだとき外側方向へ弾発して側壁２３に圧接できるように形成する。また、側枠３４にはベルトを取付けるための取付杆３９、およびベルトを押圧し滑動を阻止するための押圧部４０を架設してベルト取付部３８を形成する。
【００３２】
差込みタイプのバックルの操作は、バックル本体１に差込体２を図５に示すようにして差込むと、差込脚部３１が前進すると先端がフック状の係止部２７の内縁に沿って内側へ押圧して進行し、終端で差込脚部３１が外側へ弾発して係止部２７へ係合突部３２を係合させ施錠状態を形成する。これと同時に図６，７，８に示すように、ガイド杆６の基部１６の上下面に設置した膨出する隆起部１１からなる摺接部８が、ハウジング２０に設置した上下内面のガイド溝５における挿入口部１４に圧接し、かつガイド杆６の先端部１７はガイド溝５に設置した末端部側１５の上下内面の斜面の摺接部８に圧接し、ガイド杆６は上下両面の基部１６と先端部１７の上下両面とでガイド溝５における挿入口部１４と末端部側１５の両面で強固に保持し、差込体２はバックル本体１内で上下方向すなわち表裏方向にがたつくことがないので、衝撃音または振動音が発生することがない。
【実施例２】
【００３３】
図９に示す実施例の差込みタイプのバックルは、バックル本体１のハウジング２０に設置したガイド溝５と差込体２に設置したガイド杆６に配設する摺接部８の変形例を示すものであり、バックル本体１のハウジング２０における上面板２１と下面板２３の内面に形成するガイド溝５は、差込体２のガイド杆６を差込むことができる挿入口部１４に、内方へ円弧状に突出する隆起部１１を設けることによって摺接部８を形成し、かつ上下内面のガイド溝５の末端部側１５に斜面を呈する摺接部８を形成する。
【００３４】
差込体２のガイド杆６は、上面および下面は基部１６から先端部１７まで全て平坦な平坦面１０に形成する。従ってガイド杆６をハウジング２０の上下内面のガイド溝５に差込むとガイド溝５に設置した挿入口部１４における隆起部１１の摺接部８は、基部１６と圧接する。また末端部側１５の斜面状の摺接部８はガイド杆６の先端部１７と圧接することによって、ガイド杆６はハウジング２０内の前後における摺接部８と圧接し、強固に保持されがたつくことがなく衝撃音または振動音を発生することがない。
【実施例３】
【００３５】
図１０，１１に示す実施例の差込みタイプのバックルは、バックル本体１のハウジング２０に設置したガイド溝５と、差込体２に設置したガイド杆６に配設する摺接部８の変形例を示すものであり、バックル本体１のハウジング２０における上面板２１と下面板２２の内面に形成するガイド溝５は、差込体２のガイド杆６を差込む挿入口部１４に内方へ突出し、かつ頂面に凹陥部１２を備えた隆起部１１を設けることによって摺接部８を形成する。また上下内面のガイド溝５の末端部側１５に斜面を呈する摺接部８を形成する。
【００３６】
差込体２のガイド杆６は、上面と下面の基部１６に外方へ膨出する隆起部１１を設けて摺接部８を形成して、ガイド溝５に形成した凹陥部１２は隆起部１１から形成した摺接部８と圧接し、またガイド杆６の先端部１７は、ガイド溝５の末端部側１５に斜面を形成した摺接部８に圧接できるように形成し、差込体２をハウジング２０に差込んだとき、ガイド杆６がガイド溝５に設置した挿入口部１４の摺接部８および末端部側１５の摺接部８と圧接することによって、ガイド杆６はハウジング２０内の前後の摺接部８と圧接し、ガイド杆６は強固に前後で保持されがたつくことがなく衝撃音または振動音を発生することがない。
【産業上の利用可能性】
【００３７】
この発明の差込みタイプのバックルは、バックル本体と差込体とを熱可塑性樹脂を用いて成形し、衣服、バッグなどの緊締用に用いて、使用中における衝撃音あるいは振動音の発生を未然に防いだ品質のよい差込みタイプのバックルとして利用できる。
【図面の簡単な説明】
【００３８】
【図１】差込みタイプのバックルにおけるバックル本体と差込体の斜視図である。
【図２】同上のバックルにおけるバックル本体を二分割した斜視図である。
【図３】同上のバックルにおける差込体の正面図である。
【図４】同上のバックルにおけるバックル本体の平面断面図である。
【図５】同上のバックルにおけるバックル本体と差込体の縦断面図である。
【図６】同上のバックルにおける差込み時の正面図である。
【図７】同上のバックルにおける図６のＡ−Ａ断面図である。
【図８】同上のバックルのガイド溝とガイド杆の差込み時における要部の断面図である。
【図９】実施例２のバックルのガイド溝とガイド杆の差込み時における要部の断面図である。
【図１０】実施例３のバックルのガイド溝とガイド杆の差込み時における要部の断面図である。
【図１１】同上のバックルにおけるバックル本体の平面断面図である。
【図１２】公知の差込みタイプのバックルの正面図である。
【図１３】他の公知の差込みタイプのバックルの斜視図である。
【符号の説明】
【００３９】
１            バックル本体
２            差込体
５            ガイド溝
６            ガイド杆
８            摺接部
１０            平坦面
１１            隆起部
１２            凹陥部
１４            挿入口部
１５            末端部側
１６            基部
１７            先端部
２０            ハウジング
３０            基杆
３１            差込脚部
【図１】
2005312503.tif 000003
【図２】
2005312503.tif 000004
【図３】
2005312503.tif 000005
【図４】
2005312503.tif 000006
【図５】
2005312503.tif 000007
【図６】
2005312503.tif 000008
【図７】
2005312503.tif 000009
【図８】
2005312503.tif 000010
【図９】
2005312503.tif 000011
【図１０】
2005312503.tif 000012
【図１１】
2005312503.tif 000013
【図１２】
2005312503.tif 000014
【図１３】
2005312503.tif 000015